(57)【要約】【課題】ネットワーク費用や人為的ミスの無い、またセキュリティ性に優れたＩＣカード発行システムを提供する。【解決手段】ＩＣカードにデータを書き込んでＩＣカードを発行するシステムであって、カード発行するためのコマンド情報を格納した発行用カードを事前に作成する手段と、発行用カードと発行対象とするＩＣカードをＩＣカード発行機に投入し、発行用カードからコマンド情報を読み出し顧客情報を編集しながら発行対象とするＩＣカードを発行する手段と、を備えたことを特徴とするＩＣカード発行システム。【選択図】図３
2011170405.tif 000002
【特許請求の範囲】
【請求項１】
ＩＣカードにデータを書き込んでＩＣカードを発行するシステムであって、発行対象とするＩＣカードを発行するためのコマンド情報を格納した発行用カードを事前に作成する手段と、
発行用カードと発行対象とするＩＣカードをＩＣカード発行機に投入し、発行用カードからコマンド情報を読み出し顧客情報を編集しながら発行対象とするＩＣカードを発行する手段と、を備えたことを特徴とするＩＣカード発行システム。
【請求項２】
発行用カードに格納されるコマンド情報を変更し、新たに発行対象とするＩＣカードを発行することを特徴とする請求項１記載のＩＣカード発行システム。
【発明の詳細な説明】
【技術分野】
【０００１】
ＩＣカードを発行するシステムであって、更に詳しくは、サーバなどに保持された情報やＩＣデータ生成システムからの情報を基にＩＣカードを発行するのではなく、付属のＩＣカードから必要な情報を取得してＩＣカードを発行するＩＣカード発行システムに関するものである。
【背景技術】
【０００２】
図１は従来から行われているＩＣカードの発行手順を示す図である。一般的に、ＩＣカードを発行する際、鍵管理データベース（以下、ＤＢ）１とＨＭＳ（Ｈａｒｄｗａｒｅ  Ｓｅｃｕｒｉｔｙ  Ｍｏｄｕｌｅ）２を備えた鍵管理システム３と顧客情報４を基にＩＣパラメータ管理機能５と制御ＰＣ６を備えたＩＣデータ編集システム７を用いて、ＩＣカード券種毎に必要なデータを編集し、編集したデータを暗号化してＩＣカード発行機８に送り、ここで複合化して発行対象とするＩＣカード９にデータを書き込みＩＣカード１０を発行している。ＩＣカード発行機８では対象のデータ、ＩＣカード、ＩＣカードを発行するための設定の３つの条件を選択した状態でカード発行を行う。
【先行技術文献】
【特許文献】
【０００３】
【特許文献１】特開２００４−２１９４０号公報
【特許文献２】特開２００９−４８５１２号公報
【発明の概要】
【発明が解決しようとする課題】
【０００４】
ＩＣカード発行の際、それぞれのシステム（鍵管理システム３、ＩＣデータ編集システム７、ＩＣカード発行機８）を独立して操作をするため、例えば、鍵管理システム３、ＩＣデータ編集システム７で券種Ａの口座情報を選択し、実際に発行するときには券種Ｂの券面に券種Ａのデータを書き込むといった人為的なミスが発生する可能性がある。更に鍵管理システム３、ＩＣデータ編集システム７、ＩＣカード発行機８は各々異なる場所に存在し、ネットワークシステムによって暗号鍵データや個人情報を受け渡す場合も多く、この場合にはセキュリティの問題が発生し、またネットワークの構築と管理が必要となり、管理の手間や費用が発生する。
【０００５】
本発明は係る問題点に鑑みてなされたものであり、ネットワーク費用や人為的ミスの無い、またセキュリティ性に優れたＩＣカード発行システムを提供することを目的とする。
【課題を解決するための手段】
【０００６】
上記の課題を解決するための手段として、
請求項１に記載の発明は、ＩＣカードにデータを書き込んでＩＣカードを発行するシステムであって、発行対象とするＩＣカードを発行するためのコマンド情報を格納した発行用カードを事前に作成する手段と、
発行用カードと発行対象とするＩＣカードをＩＣカード発行機に投入し、発行用カードからコマンド情報を読み出し顧客情報を編集しながら発行対象とするＩＣカードを発行する手段と、を備えたことを特徴とするＩＣカード発行システムである。
【０００７】
請求項２に記載の発明は、
発行用カードに格納されるコマンド情報を変更し、新たに発行対象とするＩＣカードを発行することを特徴とする請求項１記載のＩＣカード発行システムである。
【発明の効果】
【０００８】
本発明によれば、発行対象のＩＣカードである券種に必要なコマンド情報を格納した発行用カードを用い、この発行用カードと顧客個人情報を用いて発行対象のＩＣカードを発行するため、券種の変更やバージョンアップを行う場合であっても、システムの改修が必要なく、様々な券種を取り扱う場合も複数のシステムを使うことによる人為的なミスを低減することが出来る。
【０００９】
更に、発行対象のＩＣカードである券種に必要なコマンドを格納した発行用カードの管理を行うだけでセキュリティの保持ができるため、店頭即時発行などネットワークに繋ぐ必要性がなく、発行用カードを金庫に保管するだけでセキュリティの保持が出来、スタンドアローン環境下でカード発行が可能となり、ネットワーク管理の手間や費用を低減することが可能となる。
【図面の簡単な説明】
【００１０】
【図１】従来から行われているＩＣカードの発行手順を示す図。
【図２】本発明に係るＩＣカード発行システムのＩＣカードを発行するためのコマンド情        報を格納した発行用カードを事前に作成する手段を説明するための図。
【図３】本発明に係るＩＣカード発行システムのＩＣカードを発行する手段を説明するた        めの図。
【発明を実施するための形態】
【００１１】
本発明のＩＣカード発行システムを実施するための形態を図面を参照して説明する。
【００１２】
図２は本発明に係るＩＣカード発行システムのＩＣカードを発行するためのコマンド情報を格納した発行用カードを事前に作成する手段を説明するための図である。発行用カードを作成する手段は、鍵管理ＤＢ１１とＨＭＳ（Ｈａｒｄｗａｒｅ  Ｓｅｃｕｒｉｔｙ  Ｍｏｄｕｌｅ）１２を備えた鍵管理システム１３とＩＣパラメータ管理機能１５と制御ＰＣ１６を備えたＩＣデータ編集システム１７を用いて、ＩＣカード券種毎に必要なＩＣカードを発行するためのコマンド情報を作成し、発行用カード２０にコマンド情報を格納する。
【００１３】
図３は本発明に係るＩＣカード発行システムのＩＣカードを発行する手段を説明するための図である。１４は個人情報であって２０は発行対象のＩＣカードである券種に必要なコマンド情報を格納した発行用カードである。前記発行用カード２０と発行対象のＩＣカード２１は、ＩＣカード発行機１８に投入され、発行用カード２０からコマンド情報を読み出し、顧客情報を編集しながら発行対象とするＩＣカード２１に書き込んでＩＣカード２２を発行する。
【００１４】
また本発明では、ある券種に関し変更を加える場合やバージョンアップを行う場合には、従来のようにシステム全体の改修を行わずに、発行用カードのコマンド情報を変更し、新たに発行対象とするＩＣカードを発行する。
【００１５】
以上のように本発明のＩＣカード発行システムによれば、発行対象のＩＣカードである券種に必要なコマンド情報を格納した発行用カードを用いることによって、券種の変更やバージョンアップを行う場合であっても、システムの改修が必要なく、様々な券種を取り扱う場合も複数のシステムを使うことによる人為的なミスを低減することが出来る。
【００１６】
更に、発行対象のＩＣカードである券種に必要なコマンドを格納した発行用カードの管理を行うだけでセキュリティの保持ができるためネットワークに繋ぐ必要性がなく、発行
用カードを金庫に保管するだけでセキュリティの保持が出来、スタンドアローン環境下でＩＣカード発行が可能となり、ネットワーク管理の手間や費用を低減することが可能となる。
【００１７】
また、従来保持していた情報を発行用カードの単位で保持することによって、新規カードを発行する際には発行用カードのコマンド情報を変更することによって発行が可能となる。
【符号の説明】
【００１８】
１・・・鍵管理データベース
２・・・ＨＭＳ（Ｈａｒｄｗａｒｅ  Ｓｅｃｕｒｉｔｙ  Ｍｏｄｕｌｅ）
３・・・鍵管理システム
４・・・顧客情報
５・・・ＩＣパラメータ管理機能
６・・・制御ＰＣ
７・・・ＩＣデータ編集システム
８・・・ＩＣカード発行機
９・・・発行対象とするＩＣカード
１０・・・発行されるＩＣカード
１１・・・鍵管理ＤＢ
１２・・・ＨＭＳ
１３・・・鍵管理システム
１４・・・顧客情報
１５・・・ＩＣパラメータ管理機能
１６・・・制御ＰＣ
１７・・・ＩＣデータ編集システム
１８・・・ＩＣカード発行機
２０・・・発行用カード
２１・・・発行対象のＩＣカード
２２・・・発行されるＩＣカード
【図１】
2011170405.tif 000003
【図２】
2011170405.tif 000004
【図３】
2011170405.tif 000005